(57)【要約】【課題】全体の長さを低減することができ、生産コストを低減することができ、且つ電磁波が遮断され、各ソケットも良好にアースされ、各ソケットを別々にアースすることが必要なくなる積上げ式電気的コネクターを提供する。【解決手段】組合せ方向に沿って組合わせられる組合せハウジングを含み、前記組合せハウジングは、組合せ側板と、前記組合せ側板から前記組合せ方向に沿って第一末端に延長した第一側板と、前記組合せ側板から前記組合せ方向に沿って第二末端に延長した第二側板と、を含み、前記第一末端と前記第二末端の間には組合せ開口が形成される。【選択図】図１
0003144087.tif 000002
【実用新案登録請求の範囲】
【請求項１】
組合せ方向に沿って組合わせられる組合せハウジングを含み、
前記組合せハウジングは、
組合せ側板と、
前記組合せ側板から前記組合せ方向に沿って第一末端に延長した第一側板と、
前記組合せ側板から前記組合せ方向に沿って第二末端に延長した第二側板と、を含み、
前記第一末端と前記第二末端の間には組合せ開口が形成されていることを特徴とする
積上げ式電気的コネクター。
【請求項２】
前記組合せハウジングの組合せ側板と第一側板と第二側板及び別の組合せハウジングの組合せ側板の組合せは、中空な柱形状を呈するものを構成することを特徴とする、請求項１に記載の積上げ式電気的コネクター。
【請求項３】
前記組合せハウジングには、複数の係止構造と、複数の係合構造とが設けられており、前記組合せハウジングのこれらの係止構造は、別の組合せハウジングの係合構造と係合していることを特徴とする、請求項１に記載の積上げ式電気的コネクター。
【請求項４】
前記係止構造はフック形状を呈するものであり、前記係合構造は係りリングであり、前記係止構造は前記係合構造に挿入されて前記係合構造と係合していることを特徴とする、請求項３に記載の積上げ式電気的コネクター。
【請求項５】
前記係止構造はフック形状を呈するものであり、前記係合構造は、係合条と、収容穴と、を含み、前記係合条は前記係止構造に挿入されて前記係止構造と連接しており、前記係止構造は前記収容穴に収容されており、これにより、前記係止構造と前記係合構造は互いに係合していることを特徴とする、請求項３に記載の積上げ式電気的コネクター。
【請求項６】
前記組合せハウジングの第一側板には、前記組合せ側板に隣接している第一組合せ端が設けられており、少なくとも一つの前記係止構造は前記第一末端の近傍に設けられており、少なくとも一つの前記係合構造は前記第一組合せ端の近傍に設けられていることを特徴とする、請求項３に記載の積上げ式電気的コネクター。
【請求項７】
前記組合せハウジングの第二側板には、前記組合せ側板に隣接している第二組合せ端が設けられており、少なくとも一つの前記係止構造は前記第二末端の近傍に設けられており、少なくとも一つの前記係合構造は前記第二組合せ端の近傍に設けられていることを特徴とする、請求項４に記載の積上げ式電気的コネクター。
【請求項８】
更に、ベースハウジングを含み、前記ベースハウジングは前記組合せ方向に沿って組合せハウジングに組合わせることができることを特徴とする、請求項４に記載の積上げ式電気的コネクター。
【請求項９】
前記ベースハウジングは、中空な柱形状を呈するハウジングであることを特徴とする、請求項８に記載の積上げ式電気的コネクター。
【請求項１０】
前記ベースハウジングは、結合面を有し、別の組合せハウジングの開口に組合わせられていることを特徴とする、請求項８に記載の積上げ式電気的コネクター。
【請求項１１】
前記ベースハウジングの結合面と、別の組合せハウジングの組合せ側板と第一側板と第二側板との組合せにより、中空な柱形状を呈するものが構成されることを特徴とする、請求項１０に記載の積上げ式電気的コネクター。
【請求項１２】
前記ベースハウジングには複数の結合構造が設けられており、前記組合せハウジングには複数の係止構造が設けられており、これらの結合構造は前記組合せハウジングの係止構造とそれぞれ係合していることを特徴とする、請求項８に記載の積上げ式電気的コネクター。
【請求項１３】
更に、複数のソケット部材を含み、これらのソケット部材は、前記ベースハウジング及びこれらの組合せハウジングにそれぞれ嵌め込まれており、これらの組合せハウジングは前記組合せ方向に沿って順次に組合わせられていることを特徴とする、請求項８に記載の積上げ式電気的コネクター。
【請求項１４】
更に、これらの組合せハウジングにそれぞれ嵌め込まれている複数のソケット部材を含むことを特徴とする、請求項１に記載の積上げ式電気的コネクター。
【請求項１５】
これらのソケット部材は前記組合せ方向に沿って順次に組合わせられていることを特徴とする、請求項１４に記載の積上げ式電気的コネクター。
【請求項１６】
これらのソケット部材は絶縁本体を含み、前記絶縁本体は、第一連接側面と、前記第一連接側面に対向している第二連接側面と、を有し、前記第一連接側面には第一連接構造が設けられており、前記第二連接側面には第二連接構造が設けられており、これらのソケット部材を組合せ方向に沿って順次に組合せたと、前記絶縁本体の第一連接構造が別の絶縁本体の第二連接構造と結合していることを特徴とする、請求項１５に記載の積上げ式電気的コネクター。
【請求項１７】
これらのソケット部材は、前記絶縁本体内に設けられている複数の端子を含むことを特徴とする、請求項１６に記載の積上げ式電気的コネクター。
【請求項１８】
前記ソケット部材は仕切具を含み、前記仕切具の一側辺には少なくとも一つの規制構造が設けられており、前記仕切具の他側辺には少なくとも一つの規制溝が設けられており、これらのソケット部材を組合せ方向に沿って順次に組合せたと、前記仕切具の規制構造が別の仕切具の規制溝内に設けられていることを特徴とする、請求項１６に記載の積上げ式電気的コネクター。
【請求項１９】
前記規制溝には、前記規制構造の移動を規制するための干渉部が設けられていることを特徴とする、請求項１８に記載の積上げ式電気的コネクター。
【請求項２０】
組合せ方向に沿って組合わせられる組合せハウジングを含み、
前記組合せハウジングは、
組合せ側板と、
前記組合せ側板から延長方向に沿って延長した第一側板と、
前記組合せ側板から前記延長方向に沿って延長した第二側板と、を含み、
前記組合せハウジングの組合せ側板と第一側板と第二側板との一側辺は、隣接している別の組合せハウジングの組合せ側板と第一側板と第二側板との他側辺とそれぞれ隣接していることを特徴とする
積上げ式電気的コネクター。
【請求項２１】
更に、二つのベースハウジングを含み、前記ベースハウジングは、組合せられたこれらの組合せハウジングの両端にそれぞれ組合せられていることを特徴とする、請求項２０に記載の積上げ式電気的コネクター。
【請求項２２】
前記組合せ側板は、第一延長側辺と、前記第一延長側辺に対向している第二延長側辺と、を有し、前記第一側板は前記第一延長側辺から伸びており、前記第二側板は前記第二延長側辺から伸びていることを特徴とする、請求項２０に記載の積上げ式電気的コネクター。
【請求項２３】
前記第一延長側辺及び前記第二延長側辺は、前記組合せ方向に沿って伸びていることを特徴とする、請求項２２に記載の積上げ式電気的コネクター。
【請求項２４】
前記組合せ側板は、第一組合せ側辺と、前記第一組合せ側辺に対向している第二組合せ側辺と、を有し、前記組合せハウジングの第一組合せ側辺は、別の組合せハウジングの第二組合せ側辺に隣接していることを特徴とする、請求項２０に記載の積上げ式電気的コネクター。
【請求項２５】
前記第一組合せ側辺及び前記第二組合せ側辺は、前記組合せ方向に垂直している方向に沿って伸びていることを特徴とする、請求項２２に記載の積上げ式電気的コネクター。
【請求項２６】
前記組合せハウジングには、少なくとも一つの係止構造と、少なくとも一つの係合構造と、が設けられており、前記組合せハウジングの係止構造は、別の組合せハウジングの係合構造と係合していることを特徴とする、請求項２０に記載の積上げ式電気的コネクター。
【請求項２７】
前記係止構造及び前記係合構造は前記組合せ側板に設けられていることを特徴とする、請求項２６に記載の積上げ式電気的コネクター。
【請求項２８】
前記係止構造はフック形状を呈するものであり、前記係合構造は係りリングであり、前記係止構造は前記係合構造に挿入されて前記係合構造と係合していることを特徴とする、請求項２６に記載の積上げ式電気的コネクター。
【請求項２９】
前記係止構造はフック形状を呈するものであり、前記係合構造は係合穴であり、前記係止構造を前記係合穴に挿入すると、前記係止構造と前記係合構造が互いに係合しているようになることを特徴とする、請求項２６に記載の積上げ式電気的コネクター。
【請求項３０】
更に、前記組合せ方向に沿って組合せられた複数のソケット部材を含み、これらのソケット部材は、それぞれこれらの組合せハウジングの収容空間内に設けられていることを特徴とする、請求項２０に記載の積上げ式電気的コネクター。
【請求項３１】
前記ソケット部材は絶縁本体を含み、前記絶縁本体の一側辺には少なくとも一つの規制構造が設けられており、前記絶縁本体の他側辺には少なくとも一つの規制溝が設けられており、これらのソケット部材を組合せ方向に沿って順次に組合せたと、前記絶縁本体の規制構造が別の絶縁本体の規制溝内に設けられていることを特徴とする、請求項３０に記載の積上げ式電気的コネクター。
【請求項３２】
前記規制溝には、前記規制構造の移動を規制するための干渉部が設けられていることを特徴とする、請求項３１に記載の積上げ式電気的コネクター。
【請求項３３】
これらのソケット部材は、絶縁本体と、前記絶縁本体内に設けられている複数の端子と、を含むことを特徴とする、請求項３０に記載の積上げ式電気的コネクター。
【請求項３４】
前記絶縁本体には固定ポートが設けられており、前記組合せハウジングには、前記固定ポートと結合している固定構造が設けられていることを特徴とする、請求項３３に記載の積上げ式電気的コネクター。
【考案の詳細な説明】
【技術分野】
【０００１】
本考案は、積上げ式電気的コネクターに関し、特に、複数の組合せハウジングを順次に組合せることにより、必要数量のソケット部材をこれらの組合せハウジング内に設けることができ、隣接している組合せハウジング同士は一つの側板を共用することができ、全体の長さを低減可能な積上げ式電気的コネクターに関するものである。
【背景技術】
【０００２】
従来、ハブ又は光ハァイバ交換器などの複数のソケットを有する電気的コネクターは、複数の収容空間が設けられているハウジングを有し、これらのソケットがそれぞれこれらの収容空間内に設けられており、ハウジングは樹脂製のものであり、ハウジングを作製しようとする場合には、異なる数量のソケットを有するハウジングに応じて異なる金型を作製することが必要であるので、生産コストが増加し、なお、ハウジングの間隔により全体の長さが増加する。
【０００３】
一方、前記ソケットは、別に金属ハウジングによって絶縁本体を覆うことが必要であり、金属ハウジングにより、電磁波が遮断され、前記ソケットもアースされ、また、ハウジング内に設ける場合に、これらのソケットは、互いに仕切られることが必要であり、且つ別々にアースすることが必要であり、そして絶縁本体は少なくとも四つの側面によって覆うことが必要であるので、材料コストを低減することができない。
【考案の開示】
【考案が解決しようとする課題】
【０００４】
本考案の主な目的は、複数の組合せハウジングを順次に組合せることにより、必要数量のソケット部材をこれらの組合せハウジング内に設けることができ、隣接している組合せハウジング同士は、一つの側板を共用し、又は側板を省略することができ、これにより、全体の長さを低減可能な積上げ式電気的コネクターを提供することにある。
【課題を解決するための手段】
【０００５】
本考案の請求項１に記載の積上げ式電気的コネクターによると、組合せ方向に沿って組合わせられる組合せハウジングを含み、前記組合せハウジングは、組合せ側板と、前記組合せ側板から前記組合せ方向に沿って第一末端に延長した第一側板と、前記組合せ側板から前記組合せ方向に沿って第二末端に延長した第二側板と、を含み、前記第一末端と前記第二末端の間には組合せ開口が形成されていることを特徴とする積上げ式電気的コネクターである。
【０００６】
本考案の請求項２に記載の積上げ式電気的コネクターによると、前記組合せハウジングの組合せ側板と第一側板と第二側板及び別の組合せハウジングの組合せ側板の組合せは、中空な柱形状を呈するものを構成する。
【０００７】
本考案の請求項３に記載の積上げ式電気的コネクターによると、前記組合せハウジングには、複数の係止構造と、複数の係合構造とが設けられており、前記組合せハウジングのこれらの係止構造は、別の組合せハウジングの係合構造と係合している。
【０００８】
本考案の請求項４に記載の積上げ式電気的コネクターによると、前記係止構造はフック形状を呈するものであり、前記係合構造は係りリングであり、前記係止構造は前記係合構造に挿入されて前記係合構造と係合している。
【０００９】
本考案の請求項５に記載の積上げ式電気的コネクターによると、前記係止構造はフック形状を呈するものであり、前記係合構造は、係合条と、収容穴と、を含み、前記係合条は前記係止構造に挿入されて前記係止構造と連接しており、前記係止構造は前記収容穴に収容されており、これにより、前記係止構造と前記係合構造は互いに係合している。
【００１０】
本考案の請求項６に記載の積上げ式電気的コネクターによると、前記組合せハウジングの第一側板には、前記組合せ側板に隣接している第一組合せ端が設けられており、少なくとも一つの前記係止構造は前記第一末端の近傍に設けられており、少なくとも一つの前記係合構造は前記第一組合せ端の近傍に設けられている。
【００１１】
本考案の請求項７に記載の積上げ式電気的コネクターによると、前記組合せハウジングの第二側板には、前記組合せ側板に隣接している第二組合せ端が設けられており、少なくとも一つの前記係止構造は前記第二末端の近傍に設けられており、少なくとも一つの前記係合構造は前記第二組合せ端の近傍に設けられている。
【００１２】
本考案の請求項８に記載の積上げ式電気的コネクターによると、更に、ベースハウジングを含み、前記ベースハウジングは前記組合せ方向に沿って組合せハウジングに組合わせることができる。
【００１３】
本考案の請求項９に記載の積上げ式電気的コネクターによると、前記ベースハウジングは、中空な柱形状を呈するハウジングである。
【００１４】
本考案の請求項１０に記載の積上げ式電気的コネクターによると、前記ベースハウジングは、結合面を有し、別の組合せハウジングの開口に組合わせられている。
【００１５】
本考案の請求項１１に記載の積上げ式電気的コネクターによると、前記ベースハウジングの結合面と、別の組合せハウジングの組合せ側板と第一側板と第二側板との組合せにより、中空な柱形状を呈するものが構成される。
【００１６】
本考案の請求項１２に記載の積上げ式電気的コネクターによると、前記ベースハウジングには複数の結合構造が設けられており、前記組合せハウジングには複数の係止構造が設けられており、これらの結合構造は前記組合せハウジングの係止構造とそれぞれ係合している。
【００１７】
本考案の請求項１３に記載の積上げ式電気的コネクターによると、更に、複数のソケット部材を含み、これらのソケット部材は、前記ベースハウジング及びこれらの組合せハウジングにそれぞれ嵌め込まれており、これらの組合せハウジングは前記組合せ方向に沿って順次に組合わせられている。
【００１８】
本考案の請求項１４に記載の積上げ式電気的コネクターによると、更に、これらの組合せハウジングにそれぞれ嵌め込まれている複数のソケット部材を含む。
【００１９】
本考案の請求項１５に記載の積上げ式電気的コネクターによると、これらのソケット部材は前記組合せ方向に沿って順次に組合わせられている。
【００２０】
本考案の請求項１６に記載の積上げ式電気的コネクターによると、これらのソケット部材は絶縁本体を含み、前記絶縁本体は、第一連接側面と、前記第一連接側面に対向している第二連接側面と、を有し、前記第一連接側面には第一連接構造が設けられており、前記第二連接側面には第二連接構造が設けられており、これらのソケット部材を組合せ方向に沿って順次に組合せたと、前記絶縁本体の第一連接構造が別の絶縁本体の第二連接構造と結合している。
【００２１】
本考案の請求項１７に記載の積上げ式電気的コネクターによると、これらのソケット部材は、前記絶縁本体内に設けられている複数の端子を含む。
【００２２】
本考案の請求項１８に記載の積上げ式電気的コネクターによると、前記ソケット部材は仕切具を含み、前記仕切具の一側辺には少なくとも一つの規制構造が設けられており、前記仕切具の他側辺には少なくとも一つの規制溝が設けられており、これらのソケット部材を組合せ方向に沿って順次に組合せたと、前記仕切具の規制構造が別の仕切具の規制溝内に設けられている。
【００２３】
本考案の請求項１９に記載の積上げ式電気的コネクターによると、前記規制溝には、前記規制構造の移動を規制するための干渉部が設けられている。
【００２４】
本考案の請求項２０に記載の積上げ式電気的コネクターによると、組合せ方向に沿って組合わせられる組合せハウジングを含み、前記組合せハウジングは、組合せ側板と、前記組合せ側板から延長方向に沿って延長した第一側板と、前記組合せ側板から前記延長方向に沿って延長した第二側板と、を含み、前記組合せハウジングの組合せ側板と第一側板と第二側板との一側辺は、隣接している別の組合せハウジングの組合せ側板と第一側板と第二側板との他側辺とそれぞれ隣接していることを特徴とする積上げ式電気的コネクターである。
【００２５】
本考案の請求項２１に記載の積上げ式電気的コネクターによると、更に、二つのベースハウジングを含み、前記ベースハウジングは、組合せられたこれらの組合せハウジングの両端にそれぞれ組合せられている。
【００２６】
本考案の請求項２２に記載の積上げ式電気的コネクターによると、前記組合せ側板は、第一延長側辺と、前記第一延長側辺に対向している第二延長側辺と、を有し、前記第一側板は前記第一延長側辺から伸びており、前記第二側板は前記第二延長側辺から伸びている。
【００２７】
本考案の請求項２３に記載の積上げ式電気的コネクターによると、前記第一延長側辺及び前記第二延長側辺は、前記組合せ方向に沿って伸びている。
【００２８】
本考案の請求項２４に記載の積上げ式電気的コネクターによると、前記組合せ側板は、第一組合せ側辺と、前記第一組合せ側辺に対向している第二組合せ側辺と、を有し、前記組合せハウジングの第一組合せ側辺は、別の組合せハウジングの第二組合せ側辺に隣接している。
【００２９】
本考案の請求項２５に記載の積上げ式電気的コネクターによると、前記第一組合せ側辺及び前記第二組合せ側辺は、前記組合せ方向に垂直している方向に沿って伸びている。
【００３０】
本考案の請求項２６に記載の積上げ式電気的コネクターによると、前記組合せハウジングには、少なくとも一つの係止構造と、少なくとも一つの係合構造と、が設けられており、前記組合せハウジングの係止構造は、別の組合せハウジングの係合構造と係合している。
【００３１】
本考案の請求項２７に記載の積上げ式電気的コネクターによると、前記係止構造及び前記係合構造は前記組合せ側板に設けられている。
【００３２】
本考案の請求項２８に記載の積上げ式電気的コネクターによると、前記係止構造はフック形状を呈するものであり、前記係合構造は係りリングであり、前記係止構造は前記係合構造に挿入されて前記係合構造と係合している。
【００３３】
本考案の請求項２９に記載の積上げ式電気的コネクターによると、前記係止構造はフック形状を呈するものであり、前記係合構造は係合穴であり、前記係止構造を前記係合穴に挿入すると、前記係止構造と前記係合構造が互いに係合しているようになる。
【００３４】
本考案の請求項３０に記載の積上げ式電気的コネクターによると、更に、前記組合せ方向に沿って組合せられた複数のソケット部材を含み、これらのソケット部材は、それぞれこれらの組合せハウジングの収容空間内に設けられている。
【００３５】
本考案の請求項３１に記載の積上げ式電気的コネクターによると、前記ソケット部材は絶縁本体を含み、前記絶縁本体の一側辺には少なくとも一つの規制構造が設けられており、前記絶縁本体の他側辺には少なくとも一つの規制溝が設けられており、これらのソケット部材を組合せ方向に沿って順次に組合せたと、前記絶縁本体の規制構造が別の絶縁本体の規制溝内に設けられている。
【００３６】
本考案の請求項３２に記載の積上げ式電気的コネクターによると、前記規制溝には、前記規制構造の移動を規制するための干渉部が設けられている。
【００３７】
本考案の請求項３３に記載の積上げ式電気的コネクターによると、これらのソケット部材は、絶縁本体と、前記絶縁本体内に設けられている複数の端子と、を含む。
【００３８】
本考案の請求項３４に記載の積上げ式電気的コネクターによると、前記絶縁本体には固定ポートが設けられており、前記組合せハウジングには、前記固定ポートと結合している固定構造が設けられている。
【考案の効果】
【００３９】
本考案の積上げ式電気的コネクターによれば、次のような効果がある。
（１）複数の組合せハウジングを順次に組合せることにより、必要数量のソケット部材をこれらの組合せハウジング内に設けることができ、ひいては異なる数量のソケットを有するハウジングに応じて異なる金型を作製することが必要なくなるので、生産コストを低減することができる。
（２）隣接している組合せハウジング同士は、一つの側板を共用し、又は側板を省略することができ、これにより、全体の長さを低減することができる。
（３）本考案に係る組合せハウジングを金属プレートによって作製される場合には、各ソケットが覆われて互いに連結しているので、電磁波が遮断され、各ソケットも良好にアースされ、各ソケットを別々にアースすることが必要なくなる。
【考案を実施するための最良の形態】
【００４０】
［実施例］
以下、本考案の実施の形態を図面に基づいて説明する。
まず、図１及び図２を参照する。図１は本考案の第一実施例に係る積上げ式電気的コネクター１００の組合せ状態の斜視図であり、図２は本考案の第一実施例に係る積上げ式電気的コネクター１００の分解斜視図であり、積上げ式電気的コネクター１００は、ハブ又は光ハァイバ交換器などの複数の通信ポート又はソケットを有する電気的コネクターであって、複数の組合せハウジング１０と、ベースハウジング２０と、複数のソケット部材３０と、を含む。
【００４１】
これらの組合せハウジング１０は、組合せ方向Ａに沿って組合せられており、金属プレートをプレス加工によって作製されたものであり、組合せ側板１１と、第一側板１２と、第二側板１３と、を含み、第一側板１２は、組合せ側板１１から組合せ方向Ａに沿って第一末端１２１に延長しており、第二側板１３は、組合せ側板１１から組合せ方向Ａに沿って第二末端１３１に延長しており、だから、組合せハウジング１０の断面形状はＣ字形を呈し、第一側板１２と第二側板１３は組合せ側板１１に垂直している。
【００４２】
第一末端１２１と第二末端１３１の間には組合せ開口１４が形成されており、組合せハウジング１０の組合せ側板１１が組合せハウジング１０の組合せ開口１４に組合せられており、これにより、組合せ側板１１と、第一側板１２と、第二側板１３と、別の組合せハウジング１０の組合せ側板１１との組合せにより、組合せハウジング１０が構成され、このように構成された組合せハウジング１０は、中空な柱形状を呈し、ソケット部材３０を差込むことができる。
【００４３】
組合せハウジング１０同士の間には、これらを仕切るための組合せ側板１１が共有されているので、全体の長さを短縮することができ、材料コストを節約することができ、且つソケット部材３０の周面が組合せハウジング１０に覆われているので、電磁波が良好に遮断され、そしてこれらの組合せハウジング１０が互いに連接されているので、組合せハウジング１０を別々にアースすることが必要なくなる。
【００４４】
ベースハウジング２０は、中空な柱形状を呈し、金属プレートをプレス加工によって作製されたものであり、組合せ方向Ａに沿って組合せハウジング１０に組合わせることができ、ベースハウジング２０が挿入口２１である場合には、挿入口２１に、挿入モジュール（図示せず）又はプラグ（図示せず）を挿抜方向Ａ１に沿って挿入することができ、挿入モジュールはＳＰＦ（Small Form Pluggable）モジュールであってもよく、ベースハウジング２０は、結合面２２と、頂面２３と、底面２４と、を有し、頂面２３及び底面２４は組合せ方向に沿って結合面２２から伸びており、結合面２２が組合せハウジング１０の開口に組合せられており、ベースハウジング２０の結合面２２と、組合せハウジング１０の組合せ側板１１と第一側板１２と第二側板１３とから、中空な柱形状を呈するものが構成され、そしてベースハウジング２０の挿入口２１と同じ又はよく似ている連接口１７も形成され、ソケット部材３０は連接口１７に挿入することができる。
【００４５】
ソケット部材３０は、ベースハウジング２０及びこれらの組合せハウジング１０に挿し込むことができ、これらの組合せハウジング１０を組合せたと、これらのソケット部材３０は組合せ方向Ａに沿って組合せハウジング１０にそれぞれ嵌め込むことができ、ソケット部材３０は、絶縁本体３１と、複数の端子３２と、仕切具３３と、仕切ハウジング３４と、を含む。絶縁本体３１には、複数の挿入ポート３１１と、少なくとも一つの固定ポート３１２と、が設けられており、これらの挿入ポート３１１に挿入モジュール又はプラグを挿入することができる。これらの端子３２は、絶縁本体３１に設けられており、その一端がそれぞれ挿入ポート３１１から露出され、挿入モジュール又はプラグと通信的に連接することができる。仕切具３３の一端が挿抜方向Ａ１に沿って固定ポート３１２内に設けられており、仕切具３３によりこれらの挿入ポート３１１が仕切られるようになる。仕切ハウジング３４は、仕切具３３を覆うためのものであり、金属プレートをプレス加工によって作製されたものであり、仕切ハウジング３４により、挿入ポート３１１同士の電磁波による外乱が防止される。
【００４６】
別の実施例において、絶縁本体３１が一つだけの挿入ポート３１１を有する場合には、仕切具３３及び仕切ハウジング３４を省略してもよい。
【００４７】
次に、図３及び図４を参照する。図３は本考案に係る組合せハウジング１０及びベースハウジング２０の一部を組合せる状態を示す斜視図であり、図４は本考案に係る組合せハウジング１０及びベースハウジング２０の一部を別の視点から見た斜視図である。組合せハウジング１０の第一側板１２には第一組合せ端１２２が設けられており、第一組合せ端１２２は組合せ側板１１と第一側板１２の連接箇所の近傍に位置されている。組合せハウジング１０の第二側板１３には第二組合せ端１３２が設けられており、第二組合せ端１３２は組合せ側板１１と第二側板１３の連接箇所の近傍に位置されている。
【００４８】
組合せハウジング１０には、複数の係止構造１５ａ，１５ｂと、複数の係合構造１６ａ，１６ｂと、が設けられており、組合せハウジング１０のこれらの係止構造１５ａ，１５ｂが別の組合せハウジング１０の係合構造１６ａ，１６ｂとそれぞれ係合可能であり、これらの係止構造１５ａ，１５ｂは、それぞれ第一末端１２１及び/又は第二末端１３１の近傍に設けられており、これらの係合構造１６ａ，１６ｂは、それぞれ第一組合せ端１２２及び/又は第二組合せ端１３２の近傍に設けられている。
【００４９】
ベースハウジング２０には複数の結合構造２５ａ，２５ｂが設けられており、これらの結合構造２５ａ，２５ｂは、頂面２３と底面２４と結合面２２の連接箇所の近傍にそれぞれ設けられており、組合せハウジング１０の係止構造１５ａ，１５ｂとそれぞれ係合可能である。
【００５０】
本実施例では、図３に示すように、係止構造１５ａは、フック形状を呈するものであり、第一側板１２から湾折されて組合せ方向Ａに沿って伸びており、且つ第一側板１２よりも高くてもよく、係止構造１５ａは係止ブロック１５１を有する。係合構造１６ａは、係りリングであってもよく、第一側板１２から伸びており、第一側板１２に合せると係合穴１６１が形成される。これらの組合せハウジング１０を互いに組合せたと、係止構造１５ａが係合構造１６ａの係合穴１６１に挿入されており、且つ係止ブロック１５１が係合構造１６ａに係合されており、これにより、係止構造１５ａと係合構造１６ａが互いに係合しているようになる。
【００５１】
なお、結合構造２５ａの構成は係合構造１６ａと同じでもよく、ベースハウジング２０に組合せハウジング１０を組合せたと、結合構造２５ａが係止構造１５ａと係合しているようになる。
【００５２】
本実施例では、図４に示すように、係止構造１５ｂは、係りリングであってもよく、第二側板１３のエッジから組合せ方向Ａに沿って伸びており、第二側板１３に合せると係止穴１５２が形成され、係合構造１６ｂは、係合条１６２と、収容穴１６３と、を含み、係合条１６２は、第二側板１３から伸びており、且つ第二側板１３よりも高くてもよく、収容穴１６３が第二側板１３に設けられており、これらの組合せハウジング１０を互いに組合せたと、係合構造１６ｂの係合条１６２が係止構造１５ｂの係止穴１５２に挿入されており、係止構造１５ｂが収容穴１６３に収容されており、係合条１６２は、係止穴１５２に挿入された後、組合せ方向Ａの逆方向に湾折されることにより、係止構造１５ｂと係合構造１６ｂが互いに係合しているようになる。
【００５３】
なお、結合構造２５ｂの構成は係合構造１６ｂと同じでもよく、ベースハウジング２０に組合せハウジング１０を組合せたと、結合構造２５ｂが係止構造１５ｂと係合しているようになる。
【００５４】
次に、図５を参照する。図５は本考案の第一実施例の一部を組合せる状態を示す斜視図であって、絶縁本体３１は、第一連接側面３１３と、第一連接側面３１３に対向している第二連接側面３１４（図２参照）と、を有し、第一連接側面３１３には第一連接構造３１５が設けられており、第二連接側面３１４には第一連接構造３１５に対向している第二連接構造３１６が設けられている。これらのソケット部材３０を組合せ方向Ａに沿って順次に組合せたと、図２に示すように、絶縁本体３１の第一連接構造３１５が別の絶縁本体３１の第二連接構造３１６と結合している。
【００５５】
第一連接構造３１５には、挿抜方向Ａ１に沿った少なくとも一つのガイド溝３１５１が設けられており、ガイド溝３１５１に組合せハウジング１０を挿入することができ、これにより、組合せハウジング１０が安定に固定される。
【００５６】
次に、図５及び図６を参照する。図６は仕切具３３の組合せ状態の概略図であり、仕切具３３の一側辺には少なくとも一つの規制構造３３１が設けられており、規制構造３３１は柱形状を呈してもよく、仕切具３３の他側辺には少なくとも一つの規制溝３３２が設けられており（図２参照）、組合せハウジング１０の組合せ側板１１には複数の規制穴１１１が別に設けられており、組合せハウジング１０に仕切具３３を設けたと、仕切具３３が組合せハウジング１０の規制穴１１１から突出しており、これらのソケット部材３０を組合せ方向Ａに沿って順次に組合せたと（図２参照）、仕切具３３の規制構造３３１が別の仕切具３３の規制溝３３２内に設置されているようになる。
【００５７】
次に、図６を参照する。図６は本考案に係る仕切具を組合せる状態を示す斜視図であり、規制溝３３２には、収容部３３２１と、干渉部３３２２と、規制部３３２３と、が設けられており、規制溝３３２内に規制構造３３１を設けようとする場合には、まず、規制構造３３１を収容部３３２１に入れて、規制構造３３１を規制部３３２３に移動して、規制構造３３１が規制部３３２３内に位置したと、干渉部３３２２により規制構造３３１の移動が規制部３３２３内に規制されるようになる。
【００５８】
次に、図７乃至図９を参照する。図７は本考案の第二実施例に係る積上げ式電気的コネクター２００の組合せ状態の斜視図であり、図８及び図９は本考案の第二実施例に係る積上げ式電気的コネクター２００の一部の分解斜視図である。
【００５９】
積上げ式電気的コネクター２００は、複数の組合せハウジング４０と、二つのベースハウジング５０，５０ａと、複数のソケット部材６０と、を含む。組合せハウジング４０は、組合せ方向Ａに沿って順次に組合せられており、金属プレートをプレス加工によって作製されたものであり、組合せ側板４１と、第一側板４２と、第二側板４３と、少なくとも一つの係止構造４５，４５ａと、少なくとも一つの係合構造４６と、を含む。組合せ側板４１は、第一延長側辺４１１と、第二延長側辺４１２と、第一組合せ側辺４１３と、第二組合せ側辺４１４と、を有し、第二組合せ側辺４１４が第一組合せ側辺４１３に対向しており、第二組合せ側辺４１４及び第一組合せ側辺４１３は、組合せ方向Ａに垂直して伸びており、又は挿抜方向Ａ１に沿って伸びており、これらの組合せハウジング４０を組合せ方向Ａに沿って順次に組合せたと、組合せハウジング４０の第一組合せ側辺４１３は、別の組合せハウジング４０の第二組合せ側辺４１４に隣接し、又は接触している。
【００６０】
第二延長側辺４１２は第一延長側辺４１１に対向しており、第二延長側辺４１２及び第一延長側辺４１１は組合せ方向Ａに沿って伸びており、第一側板４２は第一延長側辺４１１から延長方向Ａ３に沿って伸びており、第二側板４３は第二延長側辺４１２から延長方向Ａ３に沿って伸びている。
【００６１】
これらの組合せハウジング４０を組合せ方向Ａに沿って順次に組合せたと、組合せ側板４１と第一側板４２と第二側板４３とから収容空間４４が形成され、これらの組合せハウジング４０の収容空間４４が互いに連通している。組合せハウジング４０の組合せ側板４１と第一側板４２と第二側板４３との一側辺は、それぞれ隣接している別の組合せハウジング４０の組合せ側板４１と第一側板４２と第二側板４３との他側辺に隣接している。第一側板４２には少なくとも一つの連接穴４２１が設けられており、連接穴４２１に挿入モジュール又はプラグを挿入することができる。
【００６２】
係止構造４５及び係合構造４６は、組合せ側板４１に設けられてもいいし、第一側板４２又は第二側板４３に設けられてもよく、これらの組合せハウジング４０を組合せ方向Ａに沿って順次に組合せたと、係止構造４５が別の組合せハウジング４０の係合構造４６と係合している。
【００６３】
係止構造４５は、フック形状を呈するものであり、組合せ側板４１から湾折されて挿抜方向Ａ１に沿って伸びており、且つ組合せ側板４１よりも高くてもよく、係止構造４５は係止ブロック４５１を有する。係合構造４６は、係りリングであってもよく、組合せ側板４１の上面から伸びている。これらの組合せハウジング４０を組合せ方向Ａに沿って順次に組合せたと、係止構造４５が係合構造４６に挿入されており、且つ係止ブロック４５１が係合構造４６に係合されており、これにより、係止構造４５と係合構造４６が互いに係合しているようになる。
【００６４】
係止構造４５ａは、フック形状を呈するものであり、第一側板４２から湾折されて挿抜方向Ａ１に沿って伸びている。係合構造４６は、第一側板４２に設けられており、係合穴４７であってもよい。これらの組合せハウジング４０を組合せ方向Ａに沿って順次に組合せたと、係止構造４５ａが係合穴４７に挿入されて係合穴４７と係合しており、これにより、係止構造４５ａと係合構造４６が互いに係合しているようになる。
【００６５】
ベースハウジング５０，５０ａに組合せハウジング４０を組合せることができ、これらの組合せハウジング４０を組合せ方向Ａに沿って順次に組合せたと、ベースハウジング５０，５０ａがこれらの組合せハウジング４０の両端に組合せられている。
【００６６】
これらのソケット部材６０は、組合せ方向Ａに沿って順次に組合せられており、これらの組合せハウジング４０の収容空間４４にそれぞれ嵌め込まれている。ソケット部材６０は、絶縁本体６１と、前記絶縁本体６１内に設けられた複数の端子６２と、を含む。
【００６７】
絶縁本体６１には挿入ポート６１１が設けられており、挿入ポート６１１が第一側板４２の連接穴４２１に合せられており、絶縁本体６１には少なくとも一つの固定ポート６１２が設けられており、固定ポート６１２が挿抜方向Ａ１に沿って伸びており、組合せハウジング４０の第一側板４２には固定構造４２２が設けられており、固定構造４２２は、フック形状を呈するものであってもいいし、条状なものであってもよく、挿抜方向Ａ１に沿って伸びており、絶縁本体６１に組合せハウジング４０を固定したと、固定構造４２２が固定ポート６１２に結合されている。
【００６８】
絶縁本体６１の一側辺には少なくとも一つの規制構造６３が設けられており、絶縁本体６１の他側辺には少なくとも一つの規制溝６４が設けられており、これらのソケット部材６０を組合せ方向Ａに沿って順次に組合せたと、絶縁本体６１の規制構造６３が別の絶縁本体６１の規制溝６４内に設けられている。規制溝６４及び規制構造６３は、図６に示した固定具３３の規制構造３３１及び規制溝３３２に相当する。
【００６９】
上記では、種々の実施の形態および変形例を説明したが、本考案はこれらの内容に限定されるものではない。本考案の技術的思想の範囲内で考えられるその他の態様も本考案の範囲内に含まれる。
【図面の簡単な説明】
【００７０】
【図１】本考案の第一実施例に係る積上げ式電気的コネクターの組合せ状態の斜視図である。
【図２】本考案の第一実施例に係る積上げ式電気的コネクターの分解斜視図である。
【図３】本考案に係る組合せハウジング及びベースハウジングの一部を組合せる状態を示す斜視図である。
【図４】本考案に係る組合せハウジング及びベースハウジングの一部を組合せる状態を示す斜視図である。
【図５】本考案の第一実施例の一部を組合せる状態を示す斜視図である。
【図６】本考案に係る仕切具を組合せる状態を示す斜視図である。
【図７】本考案の第二実施例に係る積上げ式電気的コネクターの組合せ状態の斜視図である。
【図８】本考案の第二実施例に係る積上げ式電気的コネクターの一部の分解斜視図である。
【図９】本考案の第二実施例に係る積上げ式電気的コネクターの一部の分解斜視図である。
【符号の説明】
【００７１】
１０，４０：組合せハウジング
１１，４１：組合せ側板
１２，４２：第一側板
１３，４３：第二側板
１４：組合せ開口
１５ａ，１５ｂ，４５，４５ａ：係止構造
１６ａ，１６ｂ，４６：係合構造
１７：連接口
２０，５０：ベースハウジング
２１：挿入口
２２：結合面
２３：頂面
２４：底面
２５ａ，２５ｂ：結合構造
３０，６０：ソケット部材
３１，６１：絶縁本体
３２，６２：端子
３３：仕切具
３４：仕切ハウジング
１００，２００：積上げ式電気的コネクター
１１１：規制穴
１２１：第一末端
１２２：第一組合せ端
１３１：第二末端
１３２：第二組合せ端
１５１，４５１：係止ブロック
１５２：係止穴
１６１，４７：係合穴
１６２：係合条
１６３：収容穴
３１１，６１１：挿入ポート
３１２，６１２：固定ポート
３１３：第一連接側面
３１４：第二連接側面
３１５：第三連接側面
３１６：第二連接構造
４１１：第一延長側辺
４１２：第二延長側辺
４１３：第三延長側辺
４１４：第四延長側辺
４２１：連接穴
３１５１：ガイド溝
３１６１：ガイド溝
３３１，６３：規制構造
３３２，６４：規制溝
３３２１：収容部
３３２２：干渉部
３３２３：規制部
Ａ：組合せ方向
Ａ１：挿抜方向
Ａ３：延長方向
【図１】
0003144087.tif 000003
【図２】
0003144087.tif 000004
【図３】
0003144087.tif 000005
【図４】
0003144087.tif 000006
【図５】
0003144087.tif 000007
【図６】
0003144087.tif 000008
【図７】
0003144087.tif 000009
【図８】
0003144087.tif 000010
【図９】
0003144087.tif 000011